(57)【特許請求の範囲】
【請求項１】
下端面の長さ方向にガイド溝を凹設した引戸を、床面との間に隙間を開けて開閉方向に移動自在に吊持し、引戸が移動する軌道下の床面に間隔を置いてガイド突起を挿設する一方、該ガイド突起を磁力により突出口から突出させて前記ガイド溝に係合することにより引戸を案内するマグネットガイドを備え、該マグネットガイドが前記ガイド突起を磁力により吸引する磁石と、その磁石を搭載し、長さ方向基端を枢支して揺動可能に片持ちし、長さ方向先端が所定高さ突出した傾き角度位置に係止する吸着台とを有した引戸ガイド装置において、
前記マグネットガイドは、前記磁石と、磁石の磁力により吸引する前記ガイド突起が突き当たる当接面との間に減音部を設け、該減音部を間に介在させて前記磁石から前記当接面を遠ざける一方、該当接面を前記磁石から遠ざける距離だけ床面に接近させて前記突出口を突出した前記ガイド突起が加速する距離を短く設定してなることを特徴とする、引戸ガイド装置。
【請求項２】
前記マグネットガイドは、前記当接面に前記ガイド突起が突き当たる衝突音を共振し合って減音する空気層を、前記減音部に形成してなることを特徴とする、請求項１に記載の引戸ガイド装置。
【発明の詳細な説明】
【技術分野】
【０００１】
本発明は、引戸レール等で走行自在に吊持した引戸を開閉時に横振れしないで開閉方向に直進するように案内する引戸ガイド装置に関する。
【背景技術】
【０００２】
従来、この種の引戸ガイド装置の中には、引戸が走行する軌道下の床面に間隔をおいて取付穴を凹設し、それら取付穴に先端に磁石を有したガイドピンを出没自在に挿設する一方、引戸の下端面に凹設した細長いガイド溝の戸先と戸尻側に、磁石を有した磁着体を配設し、開閉時、引戸側の磁着体が床側のガイドピンの上に至ると、磁力によりガイドピンを吸引してガイド溝に係合し、引戸が横振れしないで開閉方向に直進するように案内するものがある（特許文献１参照）。
【先行技術文献】
【特許文献】
【０００３】
【特許文献１】特開平８−３２６４０２号公報
【発明の概要】
【発明が解決しようとする課題】
【０００４】
ところが、一般に、引戸は、気密性に配慮した部屋であっても、床面との間に僅かに隙間（扉下チリ）を開けた状態で吊り込み、反対に通気性に配慮した部屋では、床面との間に隙間を大きく開けた状態で吊り込まれるなど、床面との間の隙間の大きさにバラツキがある。従って、従来の引戸ガイド装置は、引戸の走行時、磁力によりガイドピンを吸引して床面の取付穴から突出し、その頭部をガイド溝に係合して引戸を案内するが、引戸と床面間の隙間が大きく開いていると、それだけ床面から突出したガイドピンが加速する距離が長くなるために、床側のガイドピン上に引戸側の磁着体が至ると、そのたびに吸引したガイドピンの頭部が強く磁着体に衝突し、その結果、加速する距離が長い分だけ大きな衝突音となって響きわたり不快な騒音になっているという課題があった。
【０００５】
そこで、本発明の目的は、引戸の走行時、磁力により床面から突出するガイド突起の衝突音を減音して引戸を静かに案内する引戸ガイド装置を提供することにある。
【課題を解決するための手段】
【０００６】
請求項１に記載の発明は、たとえば以下に示す図示実施の形態のとおり、下端面長さ方向にガイド溝２０を凹設した引戸１０を、床面ｆとの間に隙間ｄを開けて開閉方向に移動自在に吊持し、引戸１０が移動する軌道下の床面ｆに間隔を置いてガイド突起１５を挿設する一方、ガイド突起１５を磁力により突出口１９から突出させて前記ガイド溝２０に係合することにより引戸１０を案内するマグネットガイド２９・３０を備え、該マグネットガイド２９・３０が前記ガイド突起１５を磁力により吸引する磁石Ｍと、その磁石Ｍを搭載し、長さ方向基端を枢支して揺動可能に片持ちし、長さ方向先端が所定高さ突出した傾き角度位置に係止する吸着台１７とを有した引戸ガイド装置Ｇにおいて、  磁石Ｍの磁力により吸引する前記ガイド突起１５が突き当たる当接面５０との間に減音部４０を設け、該減音部を間に介在させて前記磁石Ｍから前記当接面５０を遠ざける一方、該当接面５０を前記磁石Ｍから遠ざけた距離Ｌだけ床面ｆに接近させて前記突出口１９を出た前記ガイド突起１５が加速する距離Ｓを短く設定してなることを特徴とする。
【０００７】
請求項２に記載の発明は、請求項１に記載の引戸ガイド装置Ｇにおいて、たとえば以下に示す図示実施の形態のとおり、前記マグネットガイド２９・３０は、前記当接面５０に前記ガイド突起１５が突き当たる衝突音を共振し合って減音する空気層４５を前記減音部４０に形成してなることを特徴とする。
【発明の効果】
【０００８】
請求項１に記載の発明によれば、引戸の走行時、マグネットガイドは、搭載磁石と、その磁石の磁力により吸引するガイド突起が突き当たる当接面との間に減音部を設け、この減音部を間に介在させて当接面を磁石から遠ざける一方、当接面を磁石から遠ざかる距離だけ床面に接近させて、突出口を突出したガイド突起が加速する距離を短く設定する構成にするから、当接面が磁石から離れるために、それだけ磁石の磁力に基づくガイド突起に対する吸引力が弱められる一方で、当接面を磁石から遠ざける距離だけ床面に接近し、それだけ加速する距離を短くし、床面から突出するガイド突起が加速を増す前に当接面に突き当たることから、その結果、ガイド突起が当接面に突き当たる衝突音を軽減して静かに引戸の走行を案内することができる。
【０００９】
請求項２に記載の発明によれば、マグネットガイドは、当接面にガイド突起が突き当たる衝突音を共振し合って減音する空気層を減音部に形成するから、引戸の走行時に、ガイド突起が減音部の当接面に突き当たると弾性変形して衝撃を緩衝し、これにより、ガイド突起の衝突音を軽減し、しかも、空気層の中で衝突音が共振し合って外部へ伝搬するのが抑えられ、これにより、ガイド突起が当接面に突き当たる衝突音を著しく効果的に減音して不快な騒音になるのを防止し、静かに引戸の走行を案内することができる。
【図面の簡単な説明】
【００１０】
【図１】本発明の第１実施形態の引戸ガイド装置の内部構造を、ガイド突起が突出状態の引戸下部を破断して示す縦断面図である。
【図２】引戸ガイド装置の全体を示す斜視図である。
【図３】引戸ガイド装置を備えた扉構造体を、下部側を一部断面にして引戸の全開状態で示す正面図である。
【図４】引戸ガイド装置の内部構造を、ガイド突起が収納状態において引戸下部を破断して示す縦断面図である。
【図５】（ａ）マグネットガイドの一例を示す端面図、（ｂ）その内部構造を示すＡ−Ａ断面図である。
【図６】扉下チリ寸法がd=15mmの場合（ａ）磁石から当接面を遠ざけた（4.5mm）減音部を備えた本発明の引戸ガイド装置と（ｂ）磁石に当接面が近くて（2mm）内部に空気層を備えた従来の引戸ガイド装置を比較して示す図１と同様な縦断面図である。
【図７】扉下チリ寸法がd=7mmの場合（ａ）磁石から当接面を遠ざけた（4.5mm）減音部を備えた本発明の引戸ガイド装置の図１と同様な縦断面図である。
【図８】本発明の第２実施形態の引戸ガイド装置の内部構造を、ガイド突起が突出状態の引戸下部を破断して示す縦断面図である。
【発明を実施するための形態】
【００１１】
以下、図面を参照しつつ、本発明の実施形態について説明する。
【００１２】
図１は本発明に係る第１実施形態の引戸ガイド装置の内部構造を示し、図２は引戸ガイド装置の全体を示し、図３は引戸ガイド装置を備えた扉構造体を引戸の全開状態で示している。図示例の扉構造体は、天井側に固定した引戸レールに戸車を介して係合した引戸１０を図中左右の開閉方向に走行自在に吊持し、開閉時は、ハンドル１１を持って引戸１０を開閉方向に走行して床Ｆと仕切壁Ｗで囲んだ開口部を開閉する構造になっている。そこで、引戸１０をスライドさせて開口部を開閉するとき、本発明の引戸ガイド装置Ｇを作動し、開閉方向に走行する引戸１０が横振れしないで直進するように案内する。
【００１３】
引戸１０は、例えば木製パネルで、上下の横框と、左右の縦框と、各框間の縦桟および横桟とで格子状に組んだ枠体を間に挟んで一対の鏡板材を張り合わせて組み立て、下部側の横框には、下端面１０ａの長さ方向に沿って取付溝１２を穿設する。
【００１４】
引戸ガイド装置Ｇは、床Ｆに配設する床側ガイドｇ１と、引戸１０の取付溝１２に内設する扉側ガイドｇ２とからなる。
【００１５】
床側ガイドｇ１は、複数のガイド体ａ・ｂ・ｃからなる。ガイド体ａ・ｂ・ｃは、図１〜図４に示すように、それぞれ固定筒１３と、位置決めケース１４と、位置決めケース１４に挿設するガイド突起１５を備える。固定筒１３は、内周が八面体の樹脂製円管で、外周面に斜め下向きに多数の引っ掛け爪１３ａ…を突設している。位置決めケース１４は、樹脂製で、上下両端を開口し、固定筒１３の内形に合わせて外周が八面体状のケース本体部１４ａと、ケース本体部１４ａの図中上端に開いた突出口１９の周縁から円形鍔状に延びるフラットな取付板部１４ｂとからなる。ケース本体部１４ａは、内側に重ねて上側開口が突出口１９の筒状ガイド穴２１を形成する。
【００１６】
図示例のガイド突起１５は、それぞれ位置決めケース１４のガイド穴２１に入れ子状に重ねて組み入れる円筒状の第１凸状部材２４と、第１凸状部材２４に入れ子状に重ねて組み入れるピン状の第２凸状部材２５とからなる。
【００１７】
そこで、ガイド体ａ・ｂ・ｃは、固定筒１３を、引戸１０が走行する軌道の下の床面ｆに間隔をあけて予め凹設した取付穴ｘ・ｙ・ｚに嵌め入れ、穴周壁に引っ掛け爪１３ａ…を引っ掛けて抜け止め状態で内設し、固定筒１３内に位置決めケース１４のケース本体部１４ａを嵌め込み、取付板部１４ｂを床面ｆに殆ど段差なく載せた状態で位置決めケース１４を固定筒１３に嵌着する。以って、戸先側のガイド体ａと中間のガイド体ｂと戸尻側のガイド体ｃをそれぞれ組み立て、引戸１０が移動する軌道下の床面ｆに床側ガイドｇ１を形成する。
【００１８】
他方、扉側ガイドｇ２は、取付溝１２において、両端の凹溝１２ａに内設する一対のマグネットガイド２９・３０と、両端凹溝１２ａ間の中間凹溝１２ｂに敷設するガイドレール１６とからなる。
【００１９】
マグネットガイド２９・３０は、それぞれ支持ケース３５と、支持ケース３５に格納する吸着台１７と、吸着台１７に搭載する磁石Ｍを備える。
【００２０】
支持ケース３５は、樹脂製で、取付溝１２の両端凹溝１２ａでの溝形状に合わせて細長い直方形の箱体をなし、一対の対向側板部３５ａ間に、ガイド突起１５を案内するガイド溝２０の両端溝部２０ａを形成する。支持ケース３５は、図４および図５に示すように、上側に吸着台１７の取付ロ３２を開けると共に底部３５ｂに昇降口３４を開け、長さ方向先端の上板片部３５ｃにねじ挿通穴４１設ける一方、基端側には、一対の対向側板部３５ａの上側にそれぞれ軸受穴を穿設すると共に平行な一対の連結凸部３５ｄを角状に突設する。
【００２１】
更に、支持ケース３５は、対向側板部３５ａにおいて、軸受穴の下方の内側板面に吸着台１７を所定の傾斜角度位置に受け止めるために、上端面が底部３５ｂに向かうに従い次第に低くなるように傾斜した受け止め段部４４を形成する。一方、対向側板部３５ａの上縁には、吸着台１７の飛び出しを規制する押えリブ３５ｅを内向きに凸設する。加えて、対向側板部３５ａの底部３５ｂ側の下端縁４９には、突出状態でガイド溝２０の両端溝部２０ａに係合するガイド突起１５を中間溝部２０ｂへと案内する突起案内部１８を設ける。
【００２２】
吸着台１７は、樹脂製で、磁石Ｍを入れる横長箱形の磁石収納部３９を設け、磁石収納部３９の基端側に揺動支点の凸部１７ａ（図２参照）を設ける一方、磁石収納部３９の底側に、ガイド突起１５が突き当たる先端がショベル状に屈曲した減音部４０を設けて全体をゴンドラ状に成形する。磁石収納部３９には、幅方向に対向した側壁上縁に、磁石Ｍの飛び出しを規制する押えリブ１７ｂを互いに内向きに突設する。
【００２３】
減音部４０は、突出状態のガイド突起１５が突き当たると、衝突音が共振し合って外部へ伝搬するのを抑制する空気層４５を設け、しかも、ガイド突起１５が突き当たる外側の板状部位４０ａと内側の板状部位４０ｂ間に空気層４５を有する中空壁で、ガイド突起１５が突き当たる外側の板状部位４０ａを、ガイド突起１５が突き当たると弾性変形して衝撃を緩衝する厚さに成形した減音構造になっている。
【００２４】
磁石Ｍは、厚肉な矩形板状の強磁性の第１磁石ｍ１と、同じ矩形板状でも弱磁性の第２磁石ｍ２の２体に分けてなる。
【００２５】
そこで、マグネットガイド２９・３０は、これら第１磁石ｍ１を磁石収納部３９の先端側に嵌め込み、基端側に第２磁石ｍ２を嵌め込んで吸着台１７に搭載し、凸部１７ａを軸受穴４２に嵌合して基端を支持ケース３５に枢支し吸着台１７を支持ケース３５内で揺動自在に片持ちする一方、係止段部１７ｅを受け止め段部４４に係止し、突出状態のガイド突起１５が当接面５０に当たる減音部４０が昇降口３４から所定高さ突出した傾き角度位置に保持して組み立てる。
【００２６】
即ち、マグネットガイド２９・３０は、搭載磁石Ｍと、その磁石Ｍの磁力により吸引するガイド突起１５が突き当たる当接面５０との間に減音部４０を設け、この減音部４０を間に介在させて磁石Ｍから当接面５０を遠ざける一方、当接面５０を磁石Ｍから遠ざかる距離だけ床面ｆに接近させて、突出口１９を突出したガイド突起１５が加速する距離を短く設定する構成になっている。
【００２７】
ガイドレール１６は、図２に示すように、略角パイプ状をなすレール本体１６ａ内に走行溝２０の中間溝部２０ｂを形成し、中間溝部２０ｂを挟んだ両側に係止片１６ｂを平行に列設する。一方、レール本体１６ａの上板部１６ｃには、幅方向両側の角縁をマグネットガイド２９・３０の連結凸部３５ｄの凸形状に合わせて屈曲させて連結用の係合段部１６ｄを形成する。
【００２８】
そこで、扉側ガイドｇ２は、引戸１０のガイド溝２０の両端凹溝２０ａ内に、互いの連結凸部３５ｄを向き合わせてマグネットガイド２９・３０を嵌め込み、連結凸部３５ｄにガイドレール１６の係合段部１６ｄを係合して互いに一直線に合わせた状態で、ガイドレール１６をマグネットガイド２９・３０に連結してから、上板部３５ｃを溝底面にねじ止めして組み立て扉側ガイドｇ２をガイド溝２０に内設する。この組立初期状態において、扉側ガイドｇ２は、マグネットガイド２９・３０の吸着台１７を、受け止め段部４４に係止段部を係止して減音部４０が昇降口３４から所定高さ突出した傾き角度位置において保持する。
【００２９】
さて、図示扉構造体では、閉時、図３に示すように、全開した引戸１０を、ハンドル１１を持って矢示する閉方向に引くと、引戸レールの案内で戸車を転動しながら閉方向に引戸１０が動き出して開口部を閉じ始めるが、この閉止途中、引戸ガイド装置Ｇは、床側ガイドｇ１の中間ガイド体ｂにおいて、入れ子状に立ち上がったガイド突起１５の第２凸状部材２５の頭部２５ａがガイドレール１６の係止片１６ｂに係止して引戸１０を閉方向に案内する。
【００３０】
それから、引戸１０が閉方向にさらに直進し、扉側ガイドｇ２の戸尻側マグネットガイド３０が床側ガイドｇ１の中間ガイド体ｂに近づいて、図１に示すように、吸着台１７の磁石収納部３９の先端側に嵌め込んだ磁石Ｍの第１磁石ｍ１がガイド突起１５の上に至ると、磁力により第２の凸状部材２５が第１凸状部材２４から引き上がる。第２凸状部材２５が引き上がると、外側の第１凸状部材２４が位置決めケース１４から、入れ子式に突出し、第２凸状部材２５の頭部２５ａが吸着台１７の当接面５０に突き当たる。すると、ガイド突起１５は、引戸１０の走行に従い、吸着台１７の磁石収納部３９の基端側に嵌め込んだ磁石Ｍの第２磁石ｍ２で吸引して突出した状態のまま、第２凸状部材２５の頭部２５ａを、吸着台１７の底面を滑らしながら、突起案内部１８で案内してガイド溝２０の両端溝部２０ａに係合してから突起案内部１８に係止し、そのままガイドレール１６の係止片１６ｂに係止する。一方、そのとき、ガイドレール１６の戸尻側で突起案内部１８に係止した中間ガイド体ｂの第２凸状部材１５は、昇降口３４を通って戸尻側マグネットガイド３０から外れる。従って、その後、引戸１０は、戸先側ガイド体ａのガイド突起１５の案内で移動して開口部を全閉する。
【００３１】
図６は、例えば扉下チリ寸法がd=15mmの場合（ａ）磁石Ｍから当接面５０を遠ざけた（4.5mm）減音部４０を備える本発明の引戸ガイド装置Ｇと（ｂ）磁石Ｍに当接面５０´が近付けて（2mm）内部に空気層４５´を備えた従来の引戸ガイド装置Ｇ´との減音効果を比較して示す。
【００３２】
従来の引戸ガイド装置Ｇ´でも、引戸１０の走行時、図６（ｂ）に示すように、扉側ガイドｇ２の磁石Ｍの磁力によりガイド突起１５が位置決めケース１４の突出口から突出し、第２凸状部材２５の頭部２５ａが当接面５０´に突き当たり、引戸１０の走行に従い、突起案内部１８の案内でガイド溝２０の両端溝部２０ａに係合して引戸１０が横振れしないで開閉方向に直進するように案内する。
ところが、この引戸１０の走行時に、引戸１０と床面ｆ間の隙間ｄが大きく開いていると（d=15mm）、それだけ床面ｆから突出したガイド突起１５が加速する距離Ｓ´が長くなり（S´=7.90mm）、しかも、磁石Ｍと当接面５０´間の距離Ｌが近いために（L´=2mm）磁力に基づく吸引力も強くなるので、ガイド突起１５が当接面５０´に強く衝突し、大きな衝突音となって広く響きわたり不快な騒音となって発生する。
【００３３】
しかし、本発明の引戸ガイド装置Ｇでは、引戸１０の走行時、図６（ａ）に示すように、マグネットガイド２９（３０）は、搭載した磁石Ｍと、その磁石Ｍの磁力により吸引するガイド突起１５が突き当たる当接面５０との間に減音部４０を設け、この減音部４０を間に介在させて当接面５０を磁石Ｍから遠ざける一方、当接面５０を磁石Ｍから遠ざかる距離Ｌだけ床面ｆに接近させて、突出口１９を突出したガイド突起１５が加速する距離Ｓを短く設定する。従って、図示例では、当接面５０が磁石Ｍから4.5mmも離れるために、それだけ磁石Ｍの磁力に基づくガイド突起１５に対する吸引力が弱められる一方で、当接面５０を磁石Ｍから遠ざける距離Ｌだけ床面ｆに接近し、それだけ加速する距離Ｓを短くするため、床面ｆから突出するガイド突起１５が加速を増す前に当接面５０に突き当たり、その結果、ガイド突起１５が当接面５０に突き当たる衝突音を軽減して静かに引戸１０の走行を案内することができる。
【００３４】
しかも、本発明の引戸ガイド装置Ｇでは、マグネットガイド２９（３０）は、減音部４０に、ガイド突起１５が突き当たるとその衝突音が共振し合って吸収する空気層４５を設け、しかも、ガイド突起１５が突き当たる空気層４５の外側の板状部位４０ａを、ガイド突起１５が当接面５０に突き当たると弾性変形して衝撃を緩衝する厚さに成形した減音構造になっているため、引戸１０の走行時に、ガイド突起１５が減音部４０の外側の板状部位４０ａに突き当たると、外側の板状部位４０ａが弾性変形して衝撃を緩衝し、これにより、ガイド突起１５の衝突音を軽減し、しかも、空気層４５の中で衝突音が共振し合って外部へ伝搬するのが抑えられ、これにより、ガイド突起１５が当接面５０に突き当たる衝突音を著しく効果的に減音して不快な騒音になるのを防止し、静かに引戸１０の走行を案内することができる。
【００３５】
上述した図示例では、引戸１０と床面ｆ間の隙間（d=15mm）が大きく開けた扉構造体に、本発明の引戸ガイド装置Ｇを適用した例を示したが、本発明は、例えば図７に示すように、引戸１０と床面ｆ間の隙間ｄが小さく、例えば扉下チリ寸法がd=7mmの扉構造体に適用した場合でもガイド突起１５の衝突音を軽減することができる。
【００３６】
即ち、図示他例の引戸ガイド装置Ｇでは、図７に示すように、マグネットガイド２９（３０）が搭載した磁石Ｍと、その磁石の磁力により吸引するガイド突起１５が突き当たる当接面５０との間に減音部４０を設け、この減音部４０を間に介在させて当接面５０を磁石Ｍから遠ざける一方、当接面５０を磁石Ｍから遠ざかる距離Ｌだけ床面ｆに接近させて、突出口１９を突出したガイド突起１５が加速する距離Ｓを短く設定する。従って、図示他例でも、当接面５０が磁石Ｍから4.5mmも離れるために、それだけ磁石Ｍの磁力に基づくガイド突起１５に対する吸引力が弱められる一方で、当接面５０を磁石Ｍから遠ざかる距離Ｌだけ床面ｆに接近し、それだけ加速する距離Ｓを短くするため（S=0.5mm）、床面ｆから突出するガイド突起１５が加速を増す前に当接面５０に突き当たるから、その結果、上記実施例と同様に、ガイド突起１５が当接面５０に突き当たる衝突音を軽減して静かに引戸１０の走行を案内することができる。
【００３７】
以上の図示引戸ガイド装置Ｇにおいて、マグネットガイド２９（３０）は、当接面５０にガイド突起１５が突き当たる衝突音を共振し合って減音する空気層４５を、減音部４０に形成する。しかし、本発明は、マグネットガイド２９（３０）が搭載する磁石Ｍと、ガイド突起１５が突き当たる当接面５０間に減音部４０を介在させて、磁石Ｍから当接面５０を遠ざける一方、当接面５０を磁石Ｍから遠ざける距離Ｌだけ床面ｆに接近させてガイド突起１５が加速する距離Ｓを短くし、以って、ガイド突起１５が当接面５０に突き当たる衝突音を軽減する点に特徴がある。従って。マグネットガイド２９（３０）は、搭載する磁石Ｍと、ガイド突起１５が突き当たる当接面５０間に、磁石から当接面を引き離す減音部４０を介在させる構成であればよく、例えば図８に示すように、減音部４０を、ガイド突起１５が当接面５０に突き当たると弾性変形して衝撃を緩衝する中実な弾性材で形成することもできる。
【符号の説明】
【００３８】
面間の隙間（扉下チリ）
ｆ                      床面
Ｇ                      引戸ガイド装置
Ｌ                      遠ざける距離
Ｍ                      磁石
Ｓ                      加速する距離
１０                    引戸
１５                    ガイド突起
２０                    ガイド溝
４０                    減音部
４５                    空気層
５０                    当接面
【要約】
【課題】引戸の走行時、磁力により床面から突出するガイド突起の衝突音を減音して引戸を静かに案内する引戸ガイド装置を提供する。
【解決手段】引戸ガイド装置Ｇのマグネットガイド２９・３０は、ガイド突起１５を磁力により吸引する磁石Ｍを搭載し、該磁石と、その磁石の磁力により吸引する前記ガイド突起が突き当たる当接面５０との間に減音部４０を設け、該減音部を間に介在させて前記磁石から前記当接面を遠ざける一方、該当接面を前記磁石から遠ざける距離Ｌだけ床面ｆに接近させて前記突出口１９を突出した前記ガイド突起が加速する距離Ｓを短く設定した減音構造を備え、引戸１０の走行時に、ガイド突起が加速しないうちに当接面に突き当たるため、ガイド突起の衝突音を軽減して衝突音を効果的に減音する。
【選択図】          図１【図１】
0005654708.tif 000002
【図２】
0005654708.tif 000003
【図３】
0005654708.tif 000004
【図４】
0005654708.tif 000005
【図５】
0005654708.tif 000006
【図６】
0005654708.tif 000007
【図７】
0005654708.tif 000008
【図８】
0005654708.tif 000009